(57)【要約】【課題】  隣接するソース線と画素トランジスタとの間に存在する寄生容量に起因するソース線の電位変化量のずれを低減し、均一な表示を行うことができる液晶表示装置を提供する。【解決手段】  液晶表示装置においては、１水平走査期間内に、隣接する３本のソース線を時分割で選択的に切り替える際に、有効表示領域の最外周画素の外周側に設けられたソース線から表示信号が供給される画素電極と同色の画素電極を駆動する画素トランジスタに接続されたソース線を、最外周画素の２画素内側に設けられた画素電極と同色の画素電極を駆動する画素トランジスタに接続されたソース線よりも後に選択するように駆動する。【選択図】  図４
2006189657.tif 000002
【特許請求の範囲】
【請求項１】
複数の画素電極をそれぞれ駆動する複数の画素トランジスタと、
複数の前記画素トランジスタのそれぞれに接続され、互いに略平行に設けられた複数のソース線と、
１水平走査期間内に、同じ極性の表示信号を前記ソース線に対して供給して当該ソース線を駆動するソース線駆動手段と、
複数の前記ソース線のうち同色の画素電極を駆動する画素トランジスタに接続されたソース線を同時に選択して前記ソース線駆動手段の出力を供給するものであり、複数の前記ソース線のうち隣接する３本のソース線を１単位とし、１水平走査期間内に、これら３本のソース線を時分割で選択的に切り替える切り替え手段とを備え、
前記切り替え手段は、１水平走査期間内に、前記３本のソース線を時分割で選択的に切り替える際に、有効表示領域の最外周画素の外周側に設けられた第１のソース線から表示信号が供給される第１の画素電極と同色の画素電極を駆動する画素トランジスタに接続されたソース線を、前記最外周画素の２画素内側に設けられた第２の画素電極と同色の画素電極を駆動する画素トランジスタに接続されたソース線よりも後に選択するように駆動することを特徴とする液晶表示装置。
【請求項２】
前記第１の画素電極は、赤色を表示する画素電極であり、
前記有効表示領域には、赤色を表示する画素電極、緑色を表示する画素電極、青色を表示する画素電極が、この順序で水平方向に繰り返し配列されていることを特徴とする請求項１記載の液晶表示装置。
【請求項３】
前記第１の画素電極が設けられる辺とは逆側の最外周画素の外周側に、前記ソース線と略平行に前記画素トランジスタが接続されない遮光用配線を備え、
前記第１の画素電極を駆動する画素トランジスタに接続されたソース線を前記切り替え手段によって選択するタイミングと同一タイミングで、同一水平走査期間内に当該第１の画素電極に対して供給される表示信号と同極性の信号を前記遮光用配線に対して供給することを特徴とする請求項１又は請求項２記載の液晶表示装置。
【請求項４】
前記遮光用配線に対して供給される信号は、前記第１の画素電極と同色を表示する画素電極を駆動する画素トランジスタに接続されたソース線に対して前記ソース線駆動手段から供給される表示信号と同一であることを特徴とする請求項３記載の液晶表示装置。
【請求項５】
前記遮光用配線に対して供給される信号は、対向電極に対して供給される信号と逆極性であることを特徴とする請求項３記載の液晶表示装置。
【発明の詳細な説明】
【技術分野】
【０００１】
本発明は、薄膜トランジスタを用いた液晶表示装置に関する。
【背景技術】
【０００２】
近年、パーソナルコンピュータやテレビ等の表示装置においては、薄型化且つ軽量化を目的とした開発がすすめられているが、特に液晶表示装置は、薄型化、軽量化及び低消費電力化が容易であることから盛んに開発が行われており、高解像度で大画面サイズのものが比較的低価格で入手できるようになりつつある。
【０００３】
このような液晶表示装置は、画素電極及び対向電極をそれぞれ有する２つの表示板と、その間に封入された誘電率異方性を有する液晶層とを含む。画素電極は、マトリクス状に配列され、連結された薄膜トランジスタ等のスイッチ素子を介して、順次電圧の印加を受ける。一方、対向電極は、表示板の全面にわたって形成されており、共通電圧の印加を受ける。液晶表示装置においては、これら画素電極と対向電極及びその間の液晶層が、これに連結されたスイッチ素子とともに画素を構成する基本単位となる。
【０００４】
このような液晶表示装置の駆動方式としては、各画素電極を駆動する画素トランジスタを時分割で選択的に切り替える選択駆動方式があり、この駆動方式においては、マルチプレクサ回路が用いられる。図９に、従来のマルチプレクサ回路を用いた液晶表示装置を示す。
【０００５】
すなわち、液晶表示装置は、各画素電極を駆動するｎチャネルのトランジスタからなる画素トランジスタ１０１がマトリクス状に配列されて構成される。液晶表示装置においては、赤色（Ｒ）、緑色（Ｇ）、及び青色（Ｂ）のそれぞれに対応する３つの画素トランジスタ１０１によって駆動される３つの画素電極によって１画素が構成される。このうち、赤色の画素トランジスタ１０１は、それぞれ、各列毎に、画素電極からみて左側に位置するソース線Ｒ１，Ｒ２，・・・に接続され、緑色の画素トランジスタ１０１は、それぞれ、各列毎に、画素電極からみて左側に位置するソース線Ｇ１，Ｇ２，・・・に接続され、青色の画素トランジスタ１０１は、それぞれ、各列毎に、画素電極からみて左側に位置するソース線Ｂ１，Ｂ２，・・・に接続されている。ここで、有効表示領域の左端画素に位置する画素トランジスタ１０１は、ソース線Ｒ１に接続されている。これら画素トランジスタ１０１には、それぞれ、画素の補助容量１０２と容量性の負荷である液晶層１０３とが接続される。また、画素トランジスタ１０１は、そのソース端子にソース電極１０４が接続され、そのゲート端子にゲート電極１０５が接続される。このうち、ソース電極１０４は、ソース線駆動回路１０６によって駆動され、ゲート電極１０５は、ゲート線駆動回路１０７によって駆動される。さらに、ソース電極１０４には、Ｄ／Ａ（Digital to Analog）コンバータ１０８が接続され、表示する画像データの階調に応じたアナログ振幅の電圧がこのＤ／Ａコンバータ１０８から供給される。さらにまた、補助容量１０２と液晶層１０３との対向電極は、対向電極１０９を介して、外部に設置された対向電極駆動回路１１０によって駆動される。
【０００６】
また、各画素トランジスタ１０１のソース線Ｒ，Ｇ，Ｂは、それぞれ、マルチプレクサ回路を構成するｎチャネルのトランジスタ１１１に接続される。これらトランジスタ１１１からなるマルチプレクサ回路に対して制御信号を供給するバスライン１１２，１１３，１１４は、それぞれ、ソース線Ｒ，Ｇ，Ｂに接続されるスイッチとしてのトランジスタ１１１に対応している。マルチプレクサ回路は、ソース線駆動回路１０６の出力をトランジスタ１１１によって切り替えることにより、１本のソース線駆動回路１０６の出力によって３つのソース電極１０４を駆動することができる。
【０００７】
このような液晶表示装置においては、ゲート線駆動回路１０７によってゲート電極１０５を順次走査し、同一のゲート電極１０５に接続された画素トランジスタ１０１をオン状態とさせる電圧を当該ゲート電極１０５に印加するとともに、ソース線駆動回路１０６によって表示したい画像データに応じた電圧をソース電極１０４に印加することにより、画素トランジスタ１０１を介して補助容量１０２と液晶層１０３とを所望の電圧に印加する。そして、液晶表示装置においては、ゲート線駆動回路１０７によって同一のゲート電極１０５に接続された画素トランジスタ１０１をオフ状態とさせる電圧を当該ゲート電極１０５に印加することにより、画素トランジスタ１０１がオフ状態となった後は、補助容量１０２と液晶層１０３とに印加された電圧が次の走査まで保持されることになる。液晶表示装置においては、このようなゲート線駆動回路１０７によるゲート電極１０５の走査を順次行い、当該ゲート電極１０５に接続された画素トランジスタ１０１を順次オン状態とさせていくことにより、画面全体の表示を行う。
【０００８】
より具体的には、液晶表示装置は、図１０に示すようなタイミングでソース線の選択駆動を行う。なお、同図には、ゲート線駆動回路１０７によってゲート電極１０５に印加されるゲート線電圧Ｖｇと、ソース線Ｒに接続されるトランジスタ１１１のゲート電極に対して供給される制御信号ＳＷ（Ｒ）と、ソース線Ｇに接続されるトランジスタ１１１のゲート電極に対して供給される制御信号ＳＷ（Ｇ）と、ソース線Ｂに接続されるトランジスタ１１１のゲート電極に対して供給される制御信号ＳＷ（Ｂ）と、有効表示領域の左端画素に位置する画素トランジスタ１０１に接続されたソース線Ｒ１の電圧Ｖｓｉｇ（Ｒ１）と、ソース線Ｒ１の３画素右側の画素トランジスタ１０１に接続されたソース線Ｒ２の電圧Ｖｓｉｇ（Ｒ２）と、対向電極電位Ｖｃｏｍとを示している。
【０００９】
すなわち、液晶表示装置においては、ゲート線電圧Ｖｇが、画素トランジスタ１０１をオフ状態とさせる電圧Ｖｇｌから当該画素トランジスタ１０１をオン状態とさせる電圧Ｖｇｈへと遷移すると、この水平走査期間内で、制御信号ＳＷ（Ｒ），ＳＷ（Ｇ），ＳＷ（Ｂ）がそれぞれ順次ハイレベルとなる。換言すれば、液晶表示装置においては、ゲート線電圧Ｖｇが電圧Ｖｇｈになる水平走査期間内で、ソース線Ｒ、ソース線Ｇ、及びソース線Ｂが、この順序で順次選択される。これに応じて、液晶表示装置においては、電圧Ｖｓｉｇ（Ｒ１），Ｖｓｉｇ（Ｒ２）に示すように、選択されたトランジスタ１１１に対応する画素トランジスタ１０１に接続された画素電極に表示信号が書き込まれる。なお、ここでは、黒の表示信号が書き込まれている様子を示している。そして、表示信号が書き込まれた画素電極に接続された画素トランジスタ１０１は、次の走査まで電圧Ｖｓｉｇ（Ｒ１），Ｖｓｉｇ（Ｒ２）を保持する。これに対して、液晶表示装置においては、対向電極電位Ｖｃｏｍに示すように、水平走査期間毎に、画素電極に書き込まれた表示信号と逆極性の信号が対向電極に対して供給される。
【００１０】
このように、マルチプレクサ回路を用いた液晶表示装置においては、ゲート線の選択期間において、ソース線の選択を時分割で行うことにより、ソース電極１０４の総数の１／３の個数のソース電極駆動回路１０６の出力端子とトランジスタ１１１とによって画面全体の表示を行うことができる。
【００１１】
なお、この種の液晶表示装置としては、例えば特許文献１に開示されたものがある。
【００１２】
【特許文献１】特開２００４−２１９８２３号公報
【発明の開示】
【発明が解決しようとする課題】
【００１３】
ところで、マルチプレクサ回路を用いた従来の液晶表示装置においては、上述したように、ＲＧＢ各表示色のうち、同色の表示画素に対応したソース線が同時に選択駆動される。このとき、液晶表示装置においては、トランジスタ１１１がオフ状態にある間は各ソース線が電気的にフローティングの状態にある。ここで、液晶表示装置においては、ソース線と画素電極とが短絡しないように間隙が設けられていることから、これらソース線と画素電極との間に寄生容量が存在する。そのため、液晶表示装置においては、１水平走査期間内で最後のタイミングで選択駆動されるソース線以外のソース線について、所定の表示信号が書き込まれた後に、当該ソース線自身が電気的にフローティングの状態で、隣接するソース線に表示信号の書き込みが行われる。したがって、液晶表示装置においては、図１０中ΔＶ１ｐ，ΔＶ２ｐ，ΔＶ１ｎ，ΔＶ２ｎとして示したように、ソース線と画素電極との間の寄生容量を介してソース線の電位が変化してしまい、この変化した電位に基づいて画素トランジスタ１０１に表示信号が書き込まれることから、表示輝度が所望の輝度からずれたものとなってしまう。
【００１４】
ここで、液晶表示装置においては、有効表示領域内側では同一画素パターンが繰り返し配列されていることから、電位変化量が有効表示領域内で略均一となり、表示不良とはならない。しかしながら、液晶表示装置においては、有効表示領域端に位置するソース線については隣に画素が存在しないことから、又は隣接する非表示画素に表示信号とは異なる信号が書き込まれることから、上述した電位変化量ΔＶ１ｐ，ΔＶ１ｎが、当該ソース線よりも有効表示領域内側に位置する同色画素の電位変化量ΔＶ２ｐ，ΔＶ２ｎとは異なる事態を招来するという問題があった。具体的には、先に図９に示した液晶表示装置においては、ソース線Ｒ１の左隣には画素が存在しないことから、マルチプレクサ回路によるソース線の選択順序にかかわらず、左側画素電極との寄生容量に起因した当該ソース線Ｒ１の電位変化は生じない。これに対して、液晶表示装置においては、ソース線Ｒ２の左隣に位置するソース線Ｂ１に書き込まれる表示信号が画素電極との寄生容量を介して当該ソース線Ｒ２に伝達されることにより、当該ソース線Ｒ２に書き込まれる表示信号がずれてしまうことになる。
【００１５】
ここで、液晶表示装置においては、１水平走査期間内に書き込まれる表示信号の極性が反転したものを含む駆動を行う場合には、表示信号の極性の空間的配列を工夫することにより、ソース線の電位ずれをキャンセルすることが可能である。しかしながら、液晶表示装置においては、コモン反転駆動を行う場合やＣｓ容量結合駆動を行う場合等、同一水平走査期間内に同極性の表示信号しか書き込むことができない場合には、表示信号の極性の空間的配列を工夫する手法を採用することはできない。
【００１６】
本発明は、このような実情に鑑みてなされたものであり、隣接するソース線と画素トランジスタとの間に存在する寄生容量に起因するソース線の電位変化量のずれを低減し、均一な表示を行うことができる液晶表示装置及びこの液晶表示装置の駆動方法を提供することを目的とする。
【課題を解決するための手段】
【００１７】
上述した目的を達成する本発明にかかる液晶表示装置は、複数の画素電極をそれぞれ駆動する複数の画素トランジスタと、複数の前記画素トランジスタのそれぞれに接続され、互いに略平行に設けられた複数のソース線と、１水平走査期間内に、同じ極性の表示信号を前記ソース線に対して供給して当該ソース線を駆動するソース線駆動手段と、複数の前記ソース線のうち同色の画素電極を駆動する画素トランジスタに接続されたソース線を同時に選択して前記ソース線駆動手段の出力を供給するものであり、複数の前記ソース線のうち隣接する３本のソース線を１単位とし、１水平走査期間内に、これら３本のソース線を時分割で選択的に切り替える切り替え手段とを備え、前記切り替え手段は、１水平走査期間内に、前記３本のソース線を時分割で選択的に切り替える際に、有効表示領域の最外周画素の外周側に設けられた第１のソース線から表示信号が供給される第１の画素電極と同色の画素電極を駆動する画素トランジスタに接続されたソース線を、前記最外周画素の２画素内側に設けられた第２の画素電極と同色の画素電極を駆動する画素トランジスタに接続されたソース線よりも後に選択するように駆動することを特徴としている。
【００１８】
このような本発明にかかる液晶表示装置においては、１水平走査期間内に、前記３本のソース線を時分割で選択的に切り替える際に、有効表示領域の最外周画素の外周側に設けられた第１のソース線から表示信号が供給される第１の画素電極と同色の画素電極を駆動する画素トランジスタに接続されたソース線を、前記最外周画素の２画素内側に設けられた第２の画素電極と同色の画素電極を駆動する画素トランジスタに接続されたソース線よりも後に選択することから、第１の画素電極と同色の画素電極を駆動する画素トランジスタをオン状態からオフ状態としてそのソース線が電気的にフローティングの状態になるタイミングを、第２の画素電極と同色の画素電極を駆動する画素トランジスタに接続されたソース線に対して表示信号を書き込むタイミングよりも遅くすることができる。
【００１９】
これにより、本発明にかかる液晶表示装置においては、第１の画素電極と同色の画素電極を駆動する画素トランジスタに接続されたソース線の電圧について、第２の画素電極と同色の画素電極を駆動する画素トランジスタに接続されたソース線に対する表示信号の書き込みによって生じる、第１の画素電極と同色の画素電極を駆動する画素トランジスタに接続されたソース線の電位変動量を均一にすることができる。
【００２０】
ここで、通常の液晶表示装置においては、前記第１の画素電極を、赤色を表示する画素電極とし、前記有効表示領域には、赤色を表示する画素電極、緑色を表示する画素電極、青色を表示する画素電極が、この順序で水平方向に繰り返し配列されている。したがって、かかる液晶表示装置においては、赤色について、第１の画素電極を駆動する画素トランジスタに接続されたソース線との電位変化量の差異をなくすようなソース線の選択順序とすることにより、画面全体の表示を略均一なものとすることができる。
【００２１】
また、本発明にかかる液晶表示装置は、前記第１の画素電極が設けられる辺とは逆側の最外周画素の外周側に、前記ソース線と略平行に前記画素トランジスタが接続されない遮光用配線を備える。この場合、本発明にかかる液晶表示装置においては、前記第１の画素電極を駆動する画素トランジスタに接続されたソース線を前記切り替え手段によって選択するタイミングと同一タイミングで、同一水平走査期間内に当該第１の画素電極に対して供給される表示信号と同極性の信号を前記遮光用配線に対して供給するようにしてもよい。これにより、本発明にかかる液晶表示装置においては、有効表示領域における第１の画素電極が設けられる辺から逆側の辺にわたって、ソース線の電位変化量のずれを解消することができ、画面全体の表示を略均一なものとすることができる。
【００２２】
このとき、前記遮光用配線に対して供給される信号は、前記第１の画素電極と同色を表示する画素電極を駆動する画素トランジスタに接続されたソース線に対して前記ソース線駆動手段から供給される表示信号と同一とすることもできる。これにより、本発明にかかる液晶表示装置においては、有効表示領域における第１の画素電極が設けられる辺から逆側の辺にわたって、ソース線の電位変化量のずれを解消するために、遮光用配線に対して信号を供給するための専用の回路を設ける必要がなく、装置の小型化を図ることができる。
【００２３】
なお、前記遮光用配線には、対向電極に対して供給される信号と逆極性である信号を供給してもよい。
【発明の効果】
【００２４】
本発明によれば、有効表示領域の最外周画素の外周側に設けられた第１のソース線から表示信号が供給される第１の画素電極と同色の画素電極を駆動する画素トランジスタに接続されたソース線について、寄生容量に起因する電位変化量を有効表示領域内で略均一とすることができ、画面全体の表示を略均一なものとすることができる。
【発明を実施するための最良の形態】
【００２５】
以下、本発明を適用した具体的な実施の形態について図面を参照しながら詳細に説明する。
【００２６】
この実施の形態は、各画素電極を駆動する画素トランジスタを時分割で選択的に切り替えるマルチプレクサ回路を用いた液晶表示装置である。特に、この液晶表示装置は、画素トランジスタを選択する順序を考慮することにより、隣接するソース線と画素電極との間に存在する寄生容量に起因するソース線の電位変化量のずれを低減することができるものである。なお、以下では、説明の便宜上、各色を表示する画素電極の配列順序として、有効表示領域の左端画素から右端画素まで、赤色（Ｒ）、緑色（Ｇ）、及び青色（Ｂ）を表示する画素電極が、この順序で繰り返し配列された液晶表示装置について説明するものとする。
【００２７】
図１に、液晶表示装置における有効表示領域の左端部分のアレイパターンを示し、図２に、液晶表示装置における有効表示領域の右端部分のアレイパターンを示し、図３に、当該液晶表示装置の回路構成を示す。この液晶表示装置は、図１及び図２に示すように、赤色を表示する画素に対応するｎ本のソース線Ｒ１，Ｒ２，・・・，Ｒ（Ｎ−１），Ｒ（Ｎ）、緑色を表示する画素に対応するｎ本のソース線Ｇ１，Ｇ２，・・・，Ｇ（Ｎ−１），Ｇ（Ｎ）、及び青色を表示する画素に対応するｎ本のソース線Ｂ１，Ｂ２，・・・，Ｂ（Ｎ−１），Ｂ（Ｎ）が、それぞれ、有効表示領域の左端画素から右端画素まで、赤色、緑色、青色の順序で互いに略平行に順次設けられて構成される。液晶表示装置においては、アレイ基板と、このアレイ基板と所定間隔をもって所定のシール材によって貼着された対向基板との間に、図３に示すように、容量性の負荷である液晶層３が封入される。アレイ基板上には、各画素電極ＰＥを駆動するｎチャネルの薄膜トランジスタ等からなる画素トランジスタ１がマトリクス状に配列される。なお、画素電極ＰＥと相対して配設される対向電極は、対向基板上に形成され、液晶層３は、画素電極ＰＥと対向電極との間に所定の配向膜を介して保持される。
【００２８】
画素トランジスタ１は、例えば多結晶シリコン膜を半導体層とする多結晶シリコンＴＦＴ（Thin Film Transistor）等から構成される。液晶表示装置においては、赤色、緑色、青色のそれぞれに対応する３つの画素トランジスタ１によって駆動される３つの画素電極ＰＥによって１画素が構成される。これらマトリクス状に配列された画素トランジスタ１のうち、赤色の画素トランジスタ１は、それぞれ、各列毎に、画素電極ＰＥからみて左側に位置するソース線Ｒ１，Ｒ２，・・・に接続され、緑色の画素トランジスタは、それぞれ、各列毎に、画素電極ＰＥからみて左側に位置するソース線Ｇ１，Ｇ２，・・・に接続され、青色の画素トランジスタは、それぞれ、各列毎に、画素電極ＰＥからみて左側に位置するソース線Ｂ１，Ｂ２，・・・に接続されている。また、画素トランジスタ１のドレイン端子には、それぞれ、画素電極ＰＥとともに補助容量２が接続され、ソース端子には、それぞれ、ソース線駆動回路６によって駆動されるソース電極４が接続され、ゲート端子には、それぞれ、ゲート線駆動回路７によって駆動されるゲート電極５が接続される。
【００２９】
また、液晶表示装置は、表示する画像データの階調に応じたアナログ振幅の電圧をソース電極４に対して供給するＤ／Ａ（Digital to Analog）コンバータ８と、対向電極９を駆動する対向電極駆動回路１０とを備えるとともに、ソース線Ｒ，Ｇ，Ｂのそれぞれに接続されたマルチプレクサ回路を構成するｎチャネルのトランジスタ１１を備える。液晶表示装置においては、複数のトランジスタ１１からなるマルチプレクサ回路に対して制御信号を供給するバスライン１２，１３，１４は、それぞれ、Ｒ，Ｇ，Ｂに対応したソース線に接続されるトランジスタ１１のゲート電極に入力される。マルチプレクサ回路は、ソース線駆動回路６の出力をトランジスタ１１によって切り替えることにより、１本のソース線駆動回路６の出力によって３つのソース電極４を駆動する。すなわち、マルチプレクサ回路は、複数のソース線のうち隣接する３本のソース線Ｒ，Ｇ，Ｂを１単位とし、１水平走査期間内に、これら３本のソース線Ｒ，Ｇ，Ｂを時分割で選択的に切り替える。
【００３０】
このような液晶表示装置においては、ＲＧＢ各表示色のうち、同色の表示画素に接続されたソース線Ｒ，Ｇ，Ｂをマルチプレクサ回路によって順次選択駆動し、１水平走査期間内に、同じ極性の表示信号を画素に書き込む。具体的には、液晶表示装置においては、ゲート線駆動回路７によってゲート電極５を順次走査し、同一のゲート電極５に接続された画素トランジスタ１をオン状態又はオフ状態とさせる電圧を当該ゲート電極５に印加する。ここで、液晶表示装置においては、画素トランジスタをオン状態とする場合には、ソース線駆動回路６によって表示したい画像データに応じた電圧をソース電極４に印加することにより、画素トランジスタ１を介して補助容量２と液晶層３とに所望の電圧を印加する。一方、液晶表示装置においては、画素トランジスタ１をオフ状態とした後は、補助容量２と液晶層３とに印加された電圧が次の走査まで保持される。液晶表示装置においては、このようなゲート電極５の走査を順次行い、当該ゲート電極５に接続された画素トランジスタ１を順次オン状態とさせる。
【００３１】
さて、このような液晶表示装置において、有効表示領域の左端画素に位置する画素トランジスタ１に接続されたソース線Ｒ１については、その左隣に画素が存在しないことから、マルチプレクサ回路によるソース線Ｒ，Ｇ，Ｂの選択順序にかかわらず、当該ソース線Ｒ１と画素電極との間の寄生容量に起因する電位変化は生じない。これに対して、ソース線Ｒ１以外のソース線Ｒ２，・・・については、左隣に画素が存在することから、ソース線Ｂ１，・・・に対する表示信号の書き込みの影響を受け、電位変化が生じる。
【００３２】
そこで、液晶表示装置においては、ソース線Ｒ２を、その左隣に位置するソース線Ｂ１よりも後に選択するように、マルチプレクサ回路によって駆動する。
【００３３】
より具体的には、液晶表示装置は、図４に示すようなタイミングでソース線の選択駆動を行う。なお、同図には、ゲート線駆動回路７によってゲート電極５に印加されるゲート線電圧Ｖｇと、ソース線Ｒに接続されるトランジスタ１１のゲート電極に対して供給される制御信号ＳＷ（Ｒ）と、ソース線Ｇに接続されるトランジスタ１１のゲート電極に対して供給される制御信号ＳＷ（Ｇ）と、ソース線Ｂに接続されるトランジスタ１１のゲート電極に対して供給される制御信号ＳＷ（Ｂ）と、有効表示領域の左端画素に位置する画素トランジスタ１に接続されたソース線Ｒ１の電圧Ｖｓｉｇ（Ｒ１）と、ソース線Ｒ２の電圧Ｖｓｉｇ（Ｒ２）と、対向電極電位Ｖｃｏｍとを示している。また、ここでは、黒の表示信号が書き込まれるものとしている。
【００３４】
すなわち、液晶表示装置においては、ゲート線電圧Ｖｇが、画素トランジスタ１をオフ状態とさせる電圧Ｖｇｌから当該画素トランジスタ１をオン状態とさせる電圧Ｖｇｈへと遷移すると、この水平走査期間内で、制御信号ＳＷ（Ｇ），ＳＷ（Ｂ），ＳＷ（Ｒ）をそれぞれ順次ハイレベルとし、ソース線Ｇ、ソース線Ｂ、及びソース線Ｒを、この順序で順次選択する。換言すれば、液晶表示装置においては、ソース線Ｒ２に接続されたトランジスタ１１をオン状態からオフ状態として当該ソース線Ｒ２が電気的にフローティングの状態になるタイミングを、左隣に位置するソース線Ｂ１に対して表示信号を書き込むタイミングよりも遅くする。
【００３５】
これにより、液晶表示装置においては、ソース線Ｒ２の電圧Ｖｓｉｇ（Ｒ２）について、左隣のソース線Ｂ１に対する表示信号の書き込みの影響による変動を避けることができる。したがって、液晶表示装置においては、画素電極との寄生容量に起因するソース線Ｒ２の電位変動を、ソース線Ｒ１の電位変動と略等しくすることができる。また、液晶表示装置においては、ソース線Ｒ３，・・・についても同様に、その電位変動がソース線Ｒ１の電位変動と略等しくなることから、全てのソース線Ｒ１，Ｒ２，・・・，Ｒ（Ｎ）について、電位変化量を有効表示領域内で略均一とすることができる。
【００３６】
このように、液晶表示装置においては、１水平走査期間内に、ソース線Ｒ２を、その左隣に位置するソース線Ｂ１よりも後に選択するように、ソース線駆動回路６の出力をトランジスタ１１によって切り替えることにより、全てのソース線Ｒ１，Ｒ２，・・・，Ｒ（Ｎ）について、寄生容量に起因する電位変化量を有効表示領域内で略均一とし、画面全体の表示を略均一なものとすることができる。なお、このような１水平走査期間内でのソース線の選択順序としては、図５に示すように、ソース線Ｂ、ソース線Ｒ、ソース線Ｇの順序で選択するもの、図６に示すように、ソース線Ｇ、ソース線Ｂ、ソース線Ｒの順序で選択するもの、図７に示すように、ソース線Ｂ、ソース線Ｇ、ソース線Ｒの順序で選択するものの３通りが考えられる。液晶表示装置においては、これら３通りの選択順序のいずれを採用した場合であっても、ソース線Ｒ１と同色の他のソース線Ｒ２，・・・との電位変化量を略等しくすることができる。
【００３７】
ここで、液晶表示装置においては、有効表示領域の右端画素に位置する画素トランジスタ１に接続されたソース線Ｂ（Ｎ）については、選択順序が最後にならないことから、当該ソース線Ｂ（Ｎ）よりも有効表示領域内側に位置するソース線Ｂ（Ｎ−１），Ｂ（Ｎ−２），・・・の電位変化量とずれが生じることになる。しかしながら、青色は、人間の視覚的特性から、他色に比べて変動を認識しにくい色である。そのため、本実施例においては、人間の視覚的特性から比較的変動を認識しやすい赤色について、有効表示領域の左端に位置するソース線Ｒ１と他のソース線Ｒ２，・・・との電位変化量の差異をなくすのみで、画面全体の表示を略均一なものとすることができる。すなわち、液晶表示装置においては、画素電極からみて左側に位置するソース線から表示信号が書き込まれる場合には、各色を表示する画素電極を、有効表示領域の左端画素から右端画素まで、赤色、緑色、青色の順序で繰り返し配列し、図５乃至図７に示した選択順序での駆動を行うことにより、画面全体の表示を略均一なものとすることができる。
【００３８】
これに対して、各色を表示する画素電極の配列順序が異なる場合、特に、青色でない色を表示する画素電極が有効表示領域の右端に存在する液晶表示装置においては、当該右端に位置するソース線と、これよりも有効表示領域内側に位置するソース線との間で、電位変化量のずれに起因する表示不良が顕在化するおそれがある。そこで、液晶表示装置においては、以下のようにすることにより、有効表示領域の左端のみならず右端に位置するソース線の電位変化量のずれを積極的に解消することもできる。
【００３９】
液晶表示装置においては、上述したように、各画素トランジスタ１が、画素電極からみて左側に位置するソース線Ｒ，Ｇ，Ｂに接続されていることから、先に図２に示したように、有効表示領域の右端画素の右辺側の配線が、画素トランジスタ１が接続されない遮光用配線２１となる。この遮光用配線２１は、画素開口部の面積が全ての画素で等しくなるように、ソース線Ｒ，Ｇ，Ｂと略平行に設けられたものである。なお、遮光用配線２１のパターンは、補助容量線２３とは分離したパターンとなる。従来の液晶表示装置においては、遮光用配線の電位を補助容量線や対向電極の電位と等しくなるように設定していたが、本発明にかかる液晶表示装置においては、有効表示領域の右端に位置するソース線の問題を解消するために、先に図３に示したように、遮光用配線２１をスイッチとしてのトランジスタ２２に接続し、このスイッチ２２を赤画素に対応したソース線Ｒの選択制御を行うバスライン１２によって制御する。液晶表示装置においては、スイッチ２２に対して、同一の水平走査期間内にソース線Ｒに書き込まれる表示信号と同極性の信号、より具体的には、対向電極駆動回路１０から対向電極９に対して供給される信号と逆極性である信号を外部駆動回路１５から供給する。すなわち、液晶表示装置においては、遮光用配線２１をソース線Ｒのダミー配線として用いることにより、その左隣に位置するソース線Ｂ（Ｎ）が有効表示領域右端のソース線ではない環境を擬似的に作り出す。
【００４０】
これにより、液晶表示装置においては、先に図８に示したようなタイミングでソース線の選択駆動を行い、且つ遮光配線を上述したように駆動した場合には、有効表示領域の右端画素に位置する画素トランジスタ１に接続されたソース線Ｂ（Ｎ）の電圧Ｖｓｉｇ（Ｂ（Ｎ））と、ソース線Ｂ（Ｎ−１）の電圧Ｖｓｉｇ（Ｂ（Ｎ−１））は、図８中ΔＶｐ，ΔＶｎとして示すように、表示信号の極性が正負いずれの場合であっても、電位変化量が略等しくなる。
【００４１】
このように、液晶表示装置においては、有効表示領域の右端に位置するソース線の電位変化量のずれを解消することができ、有効表示領域の左端から右端まで、画面全体の表示を略均一なものとすることができる。なお、液晶表示装置においては、遮光用配線２１に対して、ソース線駆動回路６から他のソース線Ｒに対して供給される表示信号を書き込むようにしてもよい。これにより、液晶表示装置においては、有効表示領域の左端から右端にわたって、ソース線の電位変化量のずれを解消するために、遮光用配線２１に対して信号を供給するための専用の駆動回路を設ける必要がなく、装置の小型化を図ることができる。
【００４２】
以上説明したように、本発明の実施の形態として示す液晶表示装置においては、ソース線Ｒ２を、その左隣に位置するソース線Ｂ１よりも後に選択するように、マルチプレクサ回路によって駆動することにより、有効表示領域の左端に位置するソース線Ｒ１と他のソース線Ｒ２，・・・との電位変化量の差異をなくすことができ、画面全体の表示を略均一なものとすることができる。このとき、液晶表示装置においては、各色を表示する画素電極を、有効表示領域の左端画素から右端画素まで、赤色、緑色、青色の順序で繰り返し配列することにより、有効表示領域の右端に位置するソース線Ｂ（Ｎ）の電位変化量のずれを認識しにくくすることができる。
【００４３】
また、液晶表示装置においては、遮光用配線２１をソース線Ｒのダミー配線として用いることにより、有効表示領域の右端に位置するソース線Ｂ（Ｎ）の電位変化量のずれを解消することもできる。
【００４４】
なお、本発明は、上述した実施の形態に限定されるものではない。例えば、上述した実施の形態では、画素電極からみて左側に位置するソース線から表示信号が書き込まれるものとして説明したが、本発明は、画素電極からみて右側に位置するソース線から表示信号が書き込まれる場合にも容易に適用することができる。すなわち、液晶表示装置においては、画素電極からみて右側に位置するソース線から表示信号が書き込まれる場合には、有効表示領域の左端画素から右端画素まで、ソース線Ｒ，Ｇ，Ｂが、Ｒ１，Ｇ１，Ｂ１，・・・，Ｒ（Ｎ），Ｇ（Ｎ），Ｂ（Ｎ）の順序で繰り返し配列されているものとすると、有効表示領域の右端に位置するソース線Ｂ（Ｎ）から表示信号が供給される画素電極と同色の画素電極を駆動する画素トランジスタ１に接続されたソース線Ｂ（Ｎ−１）を、その右隣に位置するソース線Ｒ（Ｎ）よりも後に選択するように、マルチプレクサ回路によって駆動すればよい。この場合、遮光用配線２１は、有効表示領域の左端画素の左辺側の配線となることは勿論である。
【００４５】
すなわち、本発明は、有効表示領域の最外周画素の外周側に設けられたソース線から表示信号が供給される画素電極と同色の画素電極を駆動する画素トランジスタに接続されたソース線を、最外周画素の２画素内側に設けられた画素電極と同色の画素電極を駆動する画素トランジスタに接続されたソース線よりも後に選択するように駆動するものであれば、いかなるものであっても適用することができる。
【００４６】
このように、本発明は、その趣旨を逸脱しない範囲で適宜変更が可能であることはいうまでもない。
【図面の簡単な説明】
【００４７】
【図１】本発明の実施の形態として示す液晶表示装置における有効表示領域の左端部分のアレイパターンを示す図である。
【図２】同液晶表示装置における有効表示領域の右端部分のアレイパターンを示す図である。
【図３】同液晶表示装置の回路構成を示す図である。
【図４】同液晶表示装置における駆動動作を示すタイミングチャートであり、有効表示領域の左端のソース線の電圧変化について説明するための図である。
【図５】同液晶表示装置における１水平走査期間内でのソース線の選択順序の具体例を説明するための図である。
【図６】同液晶表示装置における１水平走査期間内でのソース線の選択順序の他の具体例を説明するための図である。
【図７】同液晶表示装置における１水平走査期間内でのソース線の選択順序のさらに他の具体例を説明するための図である。
【図８】同液晶表示装置における駆動動作を示すタイミングチャートであり、有効表示領域の右端のソース線の電圧変化について説明するための図である。
【図９】従来のマルチプレクサ回路を用いた液晶表示装置の回路構成を示す図である。
【図１０】従来のマルチプレクサ回路を用いた液晶表示装置における駆動動作を示すタイミングチャートであり、有効表示領域の左端のソース線の電圧変化について説明するための図である。
【符号の説明】
【００４８】
１  画素トランジスタ
２  補助容量
３  液晶層
４  ソース電極
５  ゲート電極
６  ソース線駆動回路
７  ゲート線駆動回路
８  Ｄ／Ａコンバータ
９  対向電極
１０  対向電極駆動回路
１１  トランジスタ
１２，１３，１４  バスライン
１５  外部駆動回路
２１  遮光用配線
２２  トランジスタ
２３  補助容量線
Ｒ，Ｇ，Ｂ  ソース線
ＰＥ  画素電極
【図１】
2006189657.tif 000003
【図２】
2006189657.tif 000004
【図３】
2006189657.tif 000005
【図４】
2006189657.tif 000006
【図５】
2006189657.tif 000007
【図６】
2006189657.tif 000008
【図７】
2006189657.tif 000009
【図８】
2006189657.tif 000010
【図９】
2006189657.tif 000011
【図１０】
2006189657.tif 000012